(57)【要約】【課題】口腔から投与する粉末薬剤や粉末サプリメント等の経口粉末が入ったカプセルに簡単な操作で穴を開けて、その穴からカプセル内の経口粉末を残すところなく吸い出すことができると共に、製造加工コストが嵩まない簡易な構造で使用方法も簡単な経口粉末投与具を提供する【解決手段】経口粉末が入ったカプセルＣをボディ１内に装填するカプセルホルダー２が、ボディ内に対して進退可能に取り付けられ、ボディには、カプセルホルダー２に保持されてボディ内へ進出するカプセルの両端に穴９ａ、９ｂを開けるカッター１０ａ、１０ｂが設けられると共に、ボディ内に装填されたカプセルの穴と連通する接続口１３ａ、１３ｂを有した第一及び第二の通気路１４、１５が形成され、第一の通気路に、カプセル内の経口粉末を吸引する吸い口１６が設けられ、第二の通気路１５に、吸い口からの吸引力で開弁してカプセル内に空気を導入させる吸気弁１７が設けられている。【選択図】図２
2005261770.tif 000002
【特許請求の範囲】
【請求項１】
口腔から一定量の経口粉末を投与する経口粉末投与具であって、経口粉末が入ったカプセルを保持してボディ内に装填するカプセルホルダーが、該カプセルホルダーに保持されたカプセルの長さ方向と直交する方向からボディ内に対して進退可能に取り付けられ、ボディには、カプセルホルダーに保持されてボディ内へ進出するカプセルの両端を押し切りしてその両端に穴を開けるカッターが設けられると共に、そのカプセルがボディ内に装填されたときに該カプセルの片端側に開けられた穴と連通する接続口を有した第一の通気路と、該カプセルの他端側に開けられた穴と連通する接続口を有した第二の通気路が形成され、第一の通気路には、カプセル内の経口粉末を吸引するための吸い口が設けられ、第二の通気路には、前記吸い口からの吸引力により開弁してカプセル内に空気を導入させる吸気弁が設けられていることを特徴とする経口粉末投与具。
【請求項２】
前記カプセルホルダーにカプセルが長さ方向にスライド可能に保持されると共に、そのカプセルホルダーに保持されてボディ内へ進出するカプセルを長さ方向にスライドさせて前記カッターで押し切りするカプセルの両端が定位置に来るようにその両端を案内する位置決めガイドが設けられている請求項１記載の経口粉末投与具。
【請求項３】
前記第一の通気路が有する接続口と前記第二の通気路が有する接続口との間の間隔が、前記カッターで両端が押し切りされたカプセルの長さより短く設定されて、その間に装填したカプセルの両端が前記両接続口の周縁部によって押圧されるように構成されている請求項１又は２記載の経口粉末投与具。
【請求項４】
前記カッターでカプセルの両端に開ける穴の径が、その穴と連通する前記各接続口の開口径と略同一もしくはそれ以上の大きさに設定されている請求項１、２又は３記載の経口粉末投与具。
【請求項５】
前記カッターが、前記カプセルホルダーに保持されてボディ内へ進出するカプセルの進出方向と相対する方向に刃先を向けて互いに平行に固設された一対の刃具で成り、前記位置決めガイドが、一対の突起で成ると共に、前記刃具とその手前に設けられた前記突起との間に、前記刃具で切り落とされたカプセルの切れ端を排出するポケット部が形成されている請求項１、２、３又は４記載の経口粉末投与具。
【請求項６】
前記吸気弁が、これを開弁したときに、前記第二の通気路の接続口から突出して該接続口に連通したカプセルの穴からそのカプセル内に進出する円盤状のポペットを有している請求項１、２、３、４又は５記載の経口粉末投与具。
【請求項７】
前記第一の通気路に、前記吸い口から吸引する空気に乱流を生じさせてその空気と共にカプセル内から吸引される経口粉末の粉粒を分離・分散させるミキサ室が形成されている請求項１、２、３、４、５又は６記載の経口粉末投与具。
【発明の詳細な説明】
【技術分野】
【０００１】
本発明は、粉末薬剤や粉末サプリメント等の経口粉末を口腔から投与する経口粉末投与具に関する。
【背景技術】
【０００２】
喘息等の疾患を持つ患者の肺に施薬する方法の一つとして、カプセルに入った一定量の粉末薬剤をそのカプセルに穴を開けて吸引する方法が知られており、この施薬方法に用いる器具としては、例えば図８及び図９に示すような吸入式投薬器が提案されている（特許文献１参照）。
【０００３】
この投薬器は、粉状薬剤が入ったカプセルＣを装填するボディ８０と、該ボディ８０に装填するカプセルＣを保持するカプセルホルダー８１と、該カプセルホルダー８１に保持してボディ８０内に装填されたカプセルＣの胴部に貫通穴を開ける一対のピン８３、８３を設けた穴開け具８２とで構成されており、カプセルＣに入った粉状薬剤を口腔から肺へ投与する際は、まず、ボディ８０に設けられた円筒形のホルダー収容部８４に円柱形のカプセルホルダー８１を嵌め入れて、該カプセルホルダー８１の中心軸に沿って形成されたカプセル収容穴８５にカプセルＣを差し込んで装填させると共に、ホルダー収容部８４の周壁に形成された一対のピン挿入穴８６、８６と、カプセルホルダー８１の周壁を貫通するように形成された一対のピン挿入穴８７、８７とを互いに連通させるように位置合せし、次いで、穴開け具８２のピン８３、８３をホルダー収容部８４のピン挿入穴８６、８６からカプセルホルダー８１のピン挿入穴８７、８７へと差し込んで、カプセルホルダー８１のカプセル収容穴８５に保持されたカプセルＣの胴部に計４個の貫通穴を開ける。そして、穴開け具８２のピン８３、８３をピン挿入穴８７、８７から抜き出してピン挿入穴８６、８６のみに差し込んだ状態とし、その状態で、ボディ８０のホルダー収容部８４と一体的に形成された吸引ピース８８の吸い口８９を口に銜えて吸引する。
【０００４】
これにより、カプセルホルダー８１のピン挿入穴８７、８７と直交するようにカプセル収容穴８５を挟んで互いに平行に形成された一対の通気路９０、９０を通って吸引ピース８８内に空気が吸い込まれると同時に、通気路９０、９０を通る空気の一部が胴部に穴が開けられたカプセルＣ内を流通して該カプセルＣ内から粉末薬剤が吸い出され、その粉末薬剤が吸引ピース８８の吸い口８９から口腔内に吸い込まれて肺へ投与される。
【０００５】
そして、使用済みとなったカプセルＣをカプセルホルダー８１のカプセル収容穴８５から排出させる場合は、まず、カプセルホルダー８１をボディ８０のホルダー収容部８４から抜き出し、次に、カプセルホルダー８１のカプセル収容穴８５の穴奥に開口形成された小穴９１からカプセル収容穴８５内に針を差し込んで、カプセル収容穴８５内に保持されたカプセルＣを押し出すようになっている。
【特許文献１】特許第３３７２１０５号公報
【０００６】
しかしながら、上記投薬器は、構造が非常に複雑で部品点数も多いため、製造加工コストが著しく嵩むという欠点がある。また、これを使用する際の操作も非常に煩雑であり、カプセルＣに穴を開けるときは、ボディ８０のホルダー収容部８４に形成されたピン挿入穴８６、８６と、そのホルダー収容部８４に嵌め込むカプセルホルダー８１に形成されたピン挿入穴８７、８７とを互いに連通させるように位置合せし、それらピン挿入穴８６、８６及び８７、８７に穴開け具８２のピン８３、８３を差し込むという面倒な操作を行わなければならない。
【０００７】
更に、カプセルＣに穴を開けた後は、穴開け具８２のピン８３、８３をピン挿入穴８７、８７から抜き出して、そのピン８３、８３で塞がれていたカプセルＣの穴と通気路９０、９０を夫々開放すると共に、ピン挿入穴８７、８７を介して通気路９０に通ずるピン挿入穴８６、８６を開放しないように、そのピン挿入穴８６、８６にピン８３、８３の先端部を差し込んだ状態としなければならず、この一連の操作を怠ると、カプセルＣ内の粉末薬剤を吸い出すことができないし、ピン８３、８３をピン挿入穴８７、８７から完全に抜き出さなかったり、操作を誤って、ピン８３、８３をピン挿入穴８６、８６から抜き出したりすると、カプセルＣ内の粉末薬剤を吸引することが困難となる。
【０００８】
また、使用済みのカプセルＣをカプセルホルダー８１のカプセル収容穴８５から排出させる際も、そのカプセル収容穴８５の穴奥に開口形成された小穴９１から針を差し込んでカプセルＣを押し出すという面倒な操作を行わなければならない。
【０００９】
また、上記投薬器は、ボディ８０、カプセルホルダー８１、穴開け具８２等の各部品が互いに分離する構成となっているため、それら部品のいずれかを紛失して使用不能となるおそれもある。また、穴開け具８２のピン８３、８３をカプセルＣに突き刺して穴を開けるので、その穴の周囲にピン８３で突き破られたカプセルＣの残片が突出してカプセルＣ内を流通する空気の流れが阻害され、更に、吸引ピース８８の吸い口８９を口に銜えて吸引したときにカプセルＣ内を流通する空気は、通気路９０、９０と直交するピン挿入穴８７、８７を介して流入出するので大きな流量・流速を得ることができない。このため、カプセルＣ内の粉状薬剤が全量排出されずにカプセルＣ内に残存して必要量の薬剤が肺へ投与されないという不具合や、粉状薬剤の粉粒を分離・分散させた状態で投与することができないという不具合を生ずるおそれがある。
【００１０】
また、カプセルＣ内の粉状薬剤が、カプセルＣに開けた穴から自重でこぼれ出てピン挿入穴８７、８７内へ散逸し、該ピン挿入穴８７、８７と繋がる通気路９０、９０を通って外部に漏出するおそれがある。また、誤って吸引ピース８８の吸い口８９から息を吹き込むと、カプセルＣ内の粉状薬剤が外部に流出するという欠点がある。
【００１１】
ところで、近時は、栄養補助食品を粉末化してアミノ酸、プロテイン、抗酸化物質、各種ビタミン、ミネラル等の成分を摂取しやすくした粉末サプリメントが種々販売されている。これらにはビン入りのものやカプセル入りのものがあるが、サプリメントは、体のバランスを整えたり、体質を改善するために一定量ずつ継続的に摂取することが好ましいので、ビン入りの粉末サプリメントは、さじ等で摂取量を計り、カプセル入りの粉末サプリメントは、そのカプセル数によって摂取量を計っている。
【００１２】
しかしながら、ビン入りの粉末サプリメントは、携帯に不便であるし、さじで一々摂取量を計って服用するのも面倒である。また、カプセル入りの粉末サプリメントは、携帯に便利であるが、カプセルごと服用して摂取するので、カプセルを飲み込むのが苦手な人には不向きである。
【発明の開示】
【発明が解決しようとする課題】
【００１３】
本発明は、粉末薬剤や粉末サプリメント等の経口粉末が入ったカプセルに簡単な操作で穴を開けて、その穴からカプセル内の経口粉末を残すところなく吸い出して口腔から投与することができ、また、製造加工コストが嵩まない簡易な構造で使用方法も簡単な経口粉末投与具を提供することを主たる技術的課題としている。
【課題を解決するための手段】
【００１４】
上記の課題を解決するために、本発明は、口腔から一定量の経口粉末を投与する経口粉末投与具であって、経口粉末が入ったカプセルを保持してボディ内に装填するカプセルホルダーが、該カプセルホルダーに保持されたカプセルの長さ方向と直交する方向からボディ内に対して進退可能に取り付けられ、ボディには、カプセルホルダーに保持されてボディ内へ進出するカプセルの両端を押し切りしてその両端に穴を開けるカッターが設けられると共に、そのカプセルがボディ内に装填されたときに該カプセルの片端側に開けられた穴と連通する接続口を有した第一の通気路と、該カプセルの他端側に開けられた穴と連通する接続口を有した第二の通気路が形成され、第一の通気路には、カプセル内の経口粉末を吸引するための吸い口が設けられ、第二の通気路には、前記吸い口からの吸引力により開弁してカプセル内に空気を導入させる吸気弁が設けられていることを特徴とする。
【発明の効果】
【００１５】
本発明に係る経口粉末投与具は、カプセルホルダーをボディ内へ進出させて該カプセルホルダーに保持された経口粉末入りのカプセルをボディ内に装填するだけの簡単な操作によって、該カプセルの両端がカッターで押し切りされてその両端に穴が開けられると同時に、その両端に開けられた穴が、ボディに形成された第一の通気路の接続口と第二の通気路の接続口に各々連通せられた状態となり、この状態で、第一の通気路に設けられた吸い口を口で吸うと、その吸引力で第二の通気路に設けられた吸気弁が開弁してカプセル内に空気が導入されると同時に、カプセル内の経口粉末が吸い口から口腔内へと吸い出される。このようにしてカプセル内の経口粉末を口腔から投与した後は、カプセルホルダーをボディ内から後退させるだけで、該カプセルホルダーに保持された使用済みカプセルを簡単に排出することができる。
【００１６】
したがって、本発明の投与具は、カプセルを装填・排出する操作やカプセルに穴を開ける操作をワンタッチで行うことができ、使用方法も極めて簡単であるから操作を誤るおそれがない。また、カプセルを保持するカプセルホルダーは、ボディ内に対して進退可能に取り付けられ、カプセルに穴を開けるカッターも、ボディに設けられているので、これらカプセルホルダー、ボディ及びカッターのいずれかを紛失して投与具が使用不能となるおそれもない。
【００１７】
また、本発明の投与具は、上記のような従来の投薬器に比べて構造が著しく簡略化されているので、製造加工コストを大幅に低減することができる。更に、吸い口を設けた第一の通気路と、両端に穴を開けたカプセル内と、吸気弁を設けた第二の通気路とが、直列的に接続されるので、吸い口からの吸引力でカプセル内の経口粉末を効率的に吸い出すことができると同時に、吸気弁によってカプセル内の経口粉末がボディ外へ散逸することが防止されるので、その経口粉末を無駄なく瞬時に投与することができる。
【発明を実施するための最良の形態】
【００１８】
本発明に係る経口粉末投与具の最良の実施形態は、口腔から投与する経口粉末が入ったカプセルを長さ方向にスライド可能に保持してボディ内に装填するカプセルホルダーが、該カプセルホルダーに保持されたカプセルの長さ方向と直交する方向からボディ内に対して進退可能に取り付けられ、ボディには、カプセルホルダーに保持されてボディ内へ進出するカプセルの両端を押し切りしてその両端に穴を開けるカッターと、前記カプセルを長さ方向にスライドさせて前記カッターで押し切りするカプセルの両端が定位置に来るようにその両端を案内する位置決めガイドとが設けられると共に、そのカプセルがボディ内に装填されたときに該カプセルの片端側に開けられた穴と連通する接続口を有した第一の通気路と、該カプセルの他端側に開けられた穴と連通する接続口を有した第二の通気路が形成され、第一の通気路には、カプセル内の経口粉末を吸引するための吸い口が設けられ、第二の通気路には、前記吸い口からの吸引力により開弁してカプセル内に空気を導入させる吸気弁が設けられている。
【００１９】
また、前記第一の通気路が有する接続口と前記第二の通気路が有する接続口との間の間隔は、前記カッターで両端が押し切りされたカプセルの長さより短く設定されて、その間に装填したカプセルの両端が前記両接続口の周縁部によって押圧されるように構成されると共に、前記カッターでカプセルの両端に開ける穴の径は、その穴と連通する前記各接続口の開口径と略同一もしくはそれ以上の大きさに設定されている。また、前記吸気弁は、これを開弁したときに、前記第二の通気路の接続口から突出して該接続口に連通したカプセルの穴からそのカプセル内に進出する円盤状のポペットを有している。
【００２０】
また、前記カッターは、前記カプセルホルダーに保持されてボディ内へ進出するカプセルの進出方向と相対する方向に刃先を向けて互いに平行に固設された一対の刃具で成り、前記位置決めガイドは、一対の突起で成ると共に、前記刃具とその手前に設けられた前記突起との間に、前記刃具で切り落とされたカプセルの切れ端を排出するポケット部が形成されている。また、前記第一の通気路には、該通気路に設けられた前記吸い口から吸引する空気に乱流を生じさせてその空気と共にカプセル内から吸引される経口粉末の粉粒を分離・分散させるミキサ室が形成されている。
【実施例１】
【００２１】
図１は本発明に係る経口粉末投与具の一例を示す外観図、図２はその断面図、図３はその部分拡大図、図４はカッターでカプセルの両端に穴が開けられるときの断面図、図５はカプセルをボディ内に装填して吸い口から吸引したときの断面図、図６はその部分拡大図である。
【００２２】
本例の経口粉末投与具は、口腔から投与する粉末薬剤や粉末サプリメント等の経口粉末Ｐが入ったカプセルＣをボディ１内に装填するカプセルホルダー２が、該カプセルホルダー２に保持されたカプセルＣの長さ方向と直交する方向からボディ１内に対して進退可能に取り付けられている。また、カプセルホルダー２は、カプセルＣを装填するボディ１内の空間３に出し入れする抽斗式のプレート４で成り、該プレート４の表面側に、カプセルＣの両端をプレート４の端縁部から突出させて該カプセルＣを長さ方向にスライド可能に保持する凹溝５が形成され、プレート４の裏面側には、該プレート４がボディ１から抜け落ちないようにするため、ボディ１内の空間３の入口側に設けたストッパ用突起６に係止される突起７が形成されると共に、ストッパ用突起６と嵌合してプレート４をボディ１内の空間３に出し入れする方向にスライド可能に案内支持するガイド溝８が形成されている。
【００２３】
ボディ１には、カプセルホルダー２に保持されてボディ１内へ進出するカプセルＣの両端を押し切りしてその両端に穴９ａ、９ｂを開けるカッター１０ａ、１０ｂが設けられると共に、該カッター１０ａ、１０ｂの手前側に、カプセルホルダー２の凹溝５内に保持されてボディ１内へ進出するカプセルＣをその長さ方向にスライドさせてカッター１０ａ、１０ｂで押し切りするカプセルＣの両端が定位置に来るようにその両端を案内する位置決めガイド１１ａ、１１ｂが設けられている。なお、カッター１０ａ、１０ｂは、カプセルホルダー２に保持されてボディ１内へ進出するカプセルＣの進出方向と相対する方向に刃先を向けて互いに平行に固設された一対の刃具で形成され、位置決めガイド１１ａ、１１ｂは、一対の突起で形成されている。また、カッター１０ａ、１０ｂを形成する刃具とその手前に設けられた位置決めガイド１１ａ、１１ｂを形成する突起との間には、刃具で切り落とされたカプセルＣの切れ端を排出するポケット部１２ａ、１２ｂが形成されている。
【００２４】
また、ボディ１には、カプセルＣがカプセルホルダー２に保持されてボディ１内に装填されたときにそのカプセルＣの片端側に開けられた穴９ａと連通する接続口１３ａを有した第一の通気路１４と、カプセルＣの他端側に開けられた穴９ｂと連通する接続口１３ｂを有した第二の通気路１５が形成され、第一の通気路１４には、カプセルＣ内の経口粉末Ｐを吸引するための吸い口１６が設けられ、第二の通気路１５には、吸い口１６からの吸引力により開弁してカプセルＣ内に空気を導入させる吸気弁１７が設けられている。なお、吸気弁１７は、その弁体１８がスプリング２０によって閉弁方向に付勢され、吸い口１６を口で吸ったときの吸引力によりスプリング２０の付勢力に抗して開弁されるようになっており、また、これを開弁したときに、第二の通気路１５が有する接続口１３ｂから突出して該接続口１３ｂに連通したカプセルＣの穴９ｂからそのカプセルＣ内に進出可能な円盤状のポペット１９を有している。
【００２５】
位置決めガイド１１ａ及び１１ｂ間の間隔は、カプセル製造時にバラツキを生ずるカプセル長の中で最も短い長さに相当する間隔に設定されている。また、カッター１０ａ、１０ｂは、位置決めガイド１１ａ、１１ｂによって定位置に位置決めされたカプセルＣの両端を成す球面の頂上部を一定の面積だけ切除して、そのカプセルＣの両端に接続口１３ａ及び１３ｂの開口径と略同一もしくはそれより若干大きい径を有した穴９ａ及び９ｂを開けることができる位置に配置されている。つまり、カッター１０ａ、１０ｂでカプセルＣの両端に開けられる穴９ａ、９ｂの径が、その穴９ａ、９ｂと連通する接続口１３ａ、１３ｂの開口径と略同一もしくはそれ以上の大きさに設定されている。
【００２６】
また、接続口１３ａと接続口１３ｂとの間の間隔Ｍは、カプセルＣの両端を切除するカッター１０ａ、１０ｂの刃先間の間隔Ｌよりも小さく設定されている。すなわち、接続口１３ａ及び１３ｂ間の間隔Ｍが、カッター１０ａ、１０ｂで両端が押し切りされたカプセルＣの長さより短く設定されて、その接続口１３ａ及び１３ｂ間に装填したカプセルＣの両端が両接続口１３ａ及び１３ｂの周縁部２１ａ及び２１ｂによって押圧されるように構成されている。
【００２７】
以上が図１〜図６に示す経口粉末投与具の構成であり、次にその投与具の使用方法と作用について説明する。まず、図１〜図３に示す如く抽斗式のプレート４をボディ１内の空間３から引き出すようにカプセルホルダー２をボディ１内から後退させ、次に、プレート４の凹溝５内に一定量の経口粉末Ｐが入ったカプセルＣを保持させて、そのプレート４をボディ１内の空間３に押し込むようにカプセルホルダー２をボディ１内に進出させるだけの極めて簡単な操作を行うだけで、カプセルＣ内の経口粉末Ｐをボディ１の吸い口１６から吸引することが可能となる。
【００２８】
つまり、プレート４の凹溝５内にカプセルＣを保持したカプセルホルダー２をボディ１内に進出させると、カプセルＣは、その両端が位置決めガイド１１ａ、１１ｂに案内されて定位置までスライドし、その定位置で両端が図４の如くカッター１０ａ、１０ｂで押し切りされて、その両端に接続口１３ａ、１３ｂの開口径と略同一もしくはそれより若干大きい径を有した穴９ａ、９ｂが精度良く開けられた状態でボディ１内の接続口１３ａ及び１３ｂ間に装填され、該接続口１３ａ、１３ｂとカプセルＣの両端に開けられた穴９ａ、９ｂとが互いに連通せられると同時に、カプセルＣの両端が接続口１３ａ、１３ｂの周周縁部２１ａ、２１ｂで押圧されてその周縁部２１ａ、２１ｂに対して強く密着せられた状態となる。
【００２９】
この状態で、吸い口１６から空気を吸い込むと、その吸引力で図５及び図６の如く第二の通気路１５に設けられた吸気弁１７が開弁してカプセルＣの穴９ｂからそのカプセルＣ内に空気が導入されると同時に、カプセルＣ内の経口粉末ＰがカプセルＣの穴９ａから第一の通気路１４を通じて吸い口１６へと吸い出され、その吸い口１６に当てた口腔から体内に投与されることとなる。
【００３０】
この際、接続口１３ａ、１３ｂに連通させるカプセルＣの穴９ａ、９ｂの径が接続口１３ａ、１３ｂの開口径と略同一もしくはそれ以上の大きさを有していれば、第二の通気路１５から導入される空気がカプセルＣ内を淀みなく円滑に通り抜けて第一の通気路１４へと流通するので、その空気流によってカプセルＣ内の経口粉末Ｐを残すところなく吸い口１６へ運ぶことができる。加えて、第二の通気路１５からカプセルＣ内に空気を導入させる吸気弁１７が、これを開弁したときに円盤状のポペット１９がカプセルＣの穴９ｂからカプセルＣ内に進出して、そのポペット１９が、第二の通気路１５からカプセルＣ内に導入される空気をカプセルＣの穴９ｂの周囲に沿って均等に高流速で流入させるので、カプセルＣ内の経口粉末Ｐを万遍なく吸い出すことができる。
【００３１】
また、接続口１３ａ、１３ｂ間に装填されたカプセルＣの両端は、両接続口１３ａ、１３ｂの周縁部２１ａ、２１ｂで押圧されてその周縁部２１ａ、２１ｂに対して強く密着せられているので、カプセルＣ内の経口粉末ＰがカプセルＣの両端に開けられた穴９ａ、９ｂから漏れ出てボディ１内へ散逸することが防止される。また、誤って吸い口１６から息を吹き込んだときは、第二の通気路１５に設けた吸気弁１７は開弁しないので、カプセルＣ内の経口粉末Ｐが第二の通気路１５を通じて外部に流出するおそれがないうえ、吸い口１６から息を吹き込むことによりカプセルＣの内圧が高まって、カプセルＣの両端をその内側から接続口１３ａ、１３ｂの周縁部２１ａ、２１ｂに圧し当てる力が作用し、カプセルＣの両端と周縁部２１ａ、２１ｂとの間の密着力がより高められて、その間が気密に保持されるので、カプセルＣ内の経口粉末Ｐがボディ１内へ散逸することも確実に防止される。したがって、経口粉末Ｐが喘息等の疾患を持つ患者の肺に投与する粉末薬剤等である場合は、治療に必要な一定量の粉末薬剤を確実に投与することができる。また、経口粉末Ｐが吸い出されて空になったカプセルＣは、そのカプセルＣを保持するカプセルホルダー２を図１〜図３のようにボディ１内から後退させるだけで簡単に排出することができる。
【実施例２】
【００３２】
図７は本発明に係る経口粉末投与具の他の例を示す断面図であって、本例の投与具は、第一の通気路１４に、吸い口１６から吸引する空気に乱流を生じさせることによってその空気と共にカプセルＣ内から吸引される経口粉末Ｐの粉粒を分離・分散させるミキサ室２２が形成されている。なお、その他の構成は、図１〜図６に示す投与具と共通するので詳細な説明は省略し、共通部分に同一符号を付すのみにとどめる。
【００３３】
口腔から肺へ投与する粉末薬剤は、呼気と共に気管支を通じて肺へ運ばれるように微粉末となっているが、その粉粒の分離・分散性が良くないと、呼気によって肺まで運ばれる量が減少して、必要量の粉末薬剤を投与することができないという不具合が生ずる。そこで、図７の経口粉末投与具は、カプセルＣ内から吸い出された経口粉末Ｐの粉粒を分離・分散させるミキサ室２２を第一の通気路１４内に設けて、肺へ投与する粉末薬剤が呼気によって確実に肺まで運ばれるようにしたものである。なお、図７の経口粉末投与具は、粉末薬剤に限らず、カプセルに入った粉末サプリメント等の粉末食品や粉末飲料を口腔から投与する用途にも使用することができる。
【図面の簡単な説明】
【００３４】
【図１】本発明に係る経口粉末投与具の一例を示す外観図
【図２】図１の断面図
【図３】図２の部分拡大図
【図４】カッターでカプセルの両端に穴が開けられるときの断面図
【図５】カプセルをボディ内に装填して吸い口から吸引したときの断面図
【図６】図５の部分拡大図
【図７】本発明に係る経口粉末投与具の他の例を示す断面図
【図８】従来例の外観図
【図９】従来例の断面図
【符号の説明】
【００３５】
Ｃ    カプセル
Ｐ    経口粉末
１    ボディ
２    カプセルホルダー
９ａ  穴
９ｂ  穴
１０ａ  カッター
１０ｂ  カッター
１１ａ  位置決めガイド
１１ｂ  位置決めガイド
１２ａ  ポケット部
１２ｂ  ポケット部
１３ａ  接続口
１３ｂ  接続口
１４    第一の通気路
１５    第二の通気路
１６    吸い口
１７    吸気弁
１９    ポペット
２１ａ  接続口の周縁部
２１ｂ  接続口の周縁部
２２    ミキサ室
【図１】
2005261770.tif 000003
【図２】
2005261770.tif 000004
【図３】
2005261770.tif 000005
【図４】
2005261770.tif 000006
【図５】
2005261770.tif 000007
【図６】
2005261770.tif 000008
【図７】
2005261770.tif 000009
【図８】
2005261770.tif 000010
【図９】
2005261770.tif 000011